(57)【特許請求の範囲】
【請求項１】
ａ）第１タイムスライスの期間中、高圧放電ランプに第１周波数の電圧を印加し、この電圧を第２周波数および第１変調度で変調するステップと、
ｂ）第２タイムスライスの期間中、前記高圧放電ランプに第３周波数の電圧を印加し、この電圧を第４周波数および第２変調度で変調するステップと、
ｃ）第３タイムスライスの期間中、前記高圧放電ランプに第５周波数の電圧を印加するステップと、
を有すること特徴とする高圧放電ランプを点灯するための方法。
【請求項２】
前記第１周波数が、５０Ｈｚと２００Ｈｚとの間の範囲の周波数であり、
前記第１変調度が０であり、
前記第３周波数が、２０ｋＨｚと１５０ｋＨｚとの間の範囲の周波数であり、
前記第２変調度が０であり、
前記第５周波数が、１０ｋＨｚと３０ｋＨｚとの間の範囲の周波数であることを特徴とする請求項１記載の方法。
【請求項３】
前記第１周波数が、５０Ｈｚと２００Ｈｚとの間の範囲の周波数であり、
前記第１変調度が、５％と３０％との間であり、
前記第２周波数が、２０ｋＨｚと６０ｋＨｚとの間の範囲の周波数であり、
前記第３周波数が、２０ｋＨｚと１５０ｋＨｚとの間の範囲の周波数であり、
前記第２変調度が０であり、
前記第３タイムスライスの長さが０であることを特徴とする請求項１記載の方法。
【請求項４】
前記第１周波数が、５０Ｈｚと２００Ｈｚとの間の範囲の周波数であり、
前記第１変調度が、５％と３０％との間であり、
前記第２周波数が、２０ｋＨｚと６０ｋＨｚとの間の範囲の周波数であり、
前記第３周波数が、２０ｋＨｚと１５０ｋＨｚとの間の範囲の周波数であり、
前記第２変調度が、５％と３０％との間であり、
前記第４周波数が、２０ｋＨｚと６０ｋＨｚとの間の範囲の周波数であり、
前記第３タイムスライスの長さが０であることを特徴とする請求項１記載の方法。
【請求項５】
前記第１周波数が、５０Ｈｚと２００Ｈｚとの間の範囲の周波数であり、
前記第１変調度が、５％と３０％との間であり、
前記第２周波数が、１０ｋＨｚと３０ｋＨｚとの間の範囲の周波数であり、
前記第３周波数が、２０ｋＨｚと１５０ｋＨｚとの間の範囲の周波数であり、
前記第２変調度が０であり、
前記第５周波数が、１０ｋＨｚと３０ｋＨｚとの間の範囲の周波数であることを特徴とする請求項１記載の方法。
【請求項６】
前記第１周波数が、５０Ｈｚと２００Ｈｚとの間の範囲の周波数であり、
前記第１変調度が、５％と３０％との間であり、
前記第２周波数が、前記第１タイムスライスの第１部分に対しては２０ｋＨｚと６０ｋＨｚとの間の範囲の周波数であり、前記第１タイムスライスの第２部分に対しては２０ｋＨｚと１５０ｋＨｚとの間の範囲の周波数であり、
前記第２タイムスライスの長さが０であり、
前記第３タイムスライスの長さが０であることを特徴とする請求項１記載の方法。
【請求項７】
点灯装置が、請求項１乃至６の１つに記載の方法を実施することを特徴とする高圧放電ランプを点灯するための点灯装置。
【請求項８】
前記高圧放電ランプが、水銀フリーの、分子放射が支配的な高圧放電ランプであることを特徴とする請求項７記載の点灯装置。
【請求項９】
前記高圧放電ランプが、直径に対する長さの比が高いランプ容器を有することを特徴とする請求項７又は８記載の点灯装置。
【発明の詳細な説明】
【技術分野】
【０００１】
本発明は、高圧放電ランプの点灯方法に関する。本発明は、この方法を実施する点灯装置にも関する。
【背景技術】
【０００２】
本発明は、主請求項に記載された種類の高圧放電ランプの点灯方法から出発する。
【０００３】
高圧放電ランプ（ＨＩＤランプ）の点灯のために、主に図１に示されているように、高速転流を用いた比較的低周波の矩形波形のランプ電源が使用される。
【０００４】
この点灯方法は、特に標準ＨＣＩランプの点灯に有効であるが、水銀フリーの、分子放射が支配的なランプの点灯のためにも使用することができる。
【０００５】
この場合に、電流の転流が片寄った電極消耗を防止するために役立ち、転流中にランプが消えないように十分に高速の極性変換が行なわれなければならない。転流時間は、典型的には１００μｓｅｃを下回る範囲内で行なわれなければならない。
【０００６】
転流周波数は、一般に、一方では転流過程中の短い不連続性が光にフリッカとして現れないように、他方では電子安定器および高温のランプからの音響放出ができるだけ可聴範囲に含まれないように選ばれる。
【０００７】
従って、転流周波数はできるだけ５０Ｈｚから２００Ｈｚまでの範囲内に選ばれるべきである。
【０００８】
最善の結果は、転流周波数を１００Ｈｚで系統に同期させる場合に達成され、それによって転流過渡期間中の変動と系統電源の起り得るリップルとの間の低周波の目に見えやすい混合モードが抑制される。
【０００９】
しかし、普通のランプジオメトリの場合に、２０ｋＨＺと１５０ｋＨｚとの間にある放電アークの音響固有共振を、ランプ点灯時に任意に励起させることがないようにするために、転流周波数は可聴範囲を超えて２０ｋＨｚを上回る範囲に設定すべきではないであろう。
【００１０】
アークの共振励起は、大抵の場合アーク変動およびアーク不安定をもたらし、これらは最終的にランプの消灯を招き、あるいはランプの破壊さえも招き得る。
【００１１】
上述の単純な矩形波点灯により、一般に、顕著なアーク不安定性およびアーク位置ずれを生じさせることなく大部分の標準ＨＩＤランプを点灯することができる。
【００１２】
高いアスペクト比を有する特殊なランプジオメトリの場合には、即ちランプ容器長とランプ容器直径との比もしくはアーク長とアーク直径との比が高い特殊なランプの場合には上記とは違った状況にあり、あるいは分子放射を基調とする放射に基づく特殊な封入物系を有するランプの場合にもそうであり、これは一般にアークに対する制約を増大させ、それにともない音響共振に対する感度を増大させる。
【００１３】
この場合には、安定性を低下させる音響固有共振の励起の可能性のほかに、次の可能性も生じる。即ち、アークが、垂直又は水平な燃焼位置のようなアークの向きに依存して、高温ランプ内の浮力自体によって、システム的にアークの軸方向中心から上に向かって曲げられ、それによりアークが電極間において弓状に形成されるという可能性である。
【００１４】
これらの弓状の曲がりは、一般に、有効アーク長が変化するために、電気点灯装置（電子安定器）によるアークの安定点灯にとって、非常に重要である燃焼電圧又は音響固有共振の位置のような電気的プラズマ点灯パラメータの変化をもたらす。
【００１５】
従って、このようなシステム的なアークの曲がりは、一般にランプを電気的に点灯する際に問題をもたらす。
【００１６】
ランプ内におけるこれらの大抵は浮力に起因するアークの曲がりを回避し、かつ高いアスペクト比を有する放電アークを普遍的に安定化するために、アーク直線化の点灯方法が用いられ、即ち、曲がったアークが真っ直ぐにされる。
【００１７】
アークの曲がりのほかに、高効率ランプもしくは分子放射を基調としたランプの場合に使用されるような高いアスペクト比を有するＨＩＤランプの場合には、付加的に更にいわゆる色分離が抑制されなければならない。
【００１８】
色分離とはランプ内のアークプラズマ中の封入物成分の不均一な分布を意味し、これはランプの上部と下部との間に異なった光パラメータをもたらす。色分離は、特に垂直なランプ燃焼位置において発生する。
【００１９】
これを回避するためには、ランプ容器の特別な音響固有周波数が励起されるとよい。これは、２Ａ共振の励起と云われる。
【００２０】
ランプにおいて特有の音響固有周波数を目的に合わせて励起するための最も簡単な方法は、アークを電子点灯装置により通常のように低周波矩形波モードで点灯するのではなくて、アークをすでに音響固有共振に対応する周波数の半分の周波数を有する交流電圧もしくは交流電流により点灯することである。
【００２１】
矩形波点灯と対比させて、ここでは、以下において直接駆動とも称する高周波点灯について説明する。次の段落では、アークの曲がり抑制もしくはアーク直線化によりアークを安定化するための２Ａモードの配量式励起を説明する。
【００２２】
２Ａ励起により色分離を容認しないアーク安定化をもたらす公知の点灯方法は、図２ａに示すように単純なシーケンシャルな直接駆動を有する簡単な矩形波点灯であり、この直接駆動の場合には、短時間だけ矩形モードから外れて直接駆動で例えば４０ｋＨｚの点灯周波数が設定され、当該点灯周波数によりそのタイムスライスに亘って、例えば２Ａ共振の特定の音響固有共振の励起を設定することができる。図２ｂは４０ｋＨｚの点灯周波数による直接駆動の部分図を示す。
【００２３】
特許文献１および特許文献２からシーケンシャルな直接駆動によりガス放電ランプを点灯する点灯方法が公知である。そのためにランプに２つの異なる音響共振を励起させるための２つの異なる周波数が印加される。しかし、直接駆動におけるこの連続点灯によっては、両周波数の変調を変調深さに関して相互の比でしか変化させることができず、両周波数の絶対的な変調深さを互いに独立に調整することができない。従って、これらの点灯方法はあらゆるランプ型式に確実に適用できるわけではなく、部分的には技術的に実現が困難である。
【先行技術文献】
【特許文献】
【００２４】
【特許文献１】米国特許第６４３７５１７号明細書
【特許文献２】欧州特許出願公開第１４３４４７１号明細書
【発明の概要】
【発明が解決しようとする課題】
【００２５】
本発明の課題は、放電アークが直線化されてあらゆる燃焼位置において高められた点灯安定性を示し（２Ａ励起）、それと共に色分離が色混合によって抑制され（２Ｌ励起）、しかも両高周波励起の絶対的な変調深さが互いに独立に調整可能である高圧放電ランプの点灯方法を提供することにある。
【課題を解決するための手段】
【００２６】
この課題は、本発明によれば、請求項１の特徴により解決される。
【００２７】
封入物成分の分離を回避するためには、色混合の点灯方法を適用しなければならない。
【００２８】
封入物成分の分離は、縦方向モード特性を有するランプの放電アーク内において特有の音響固有共振を目的に合わせて励起させること（２Ｌ励起）によって、防止することができる。何故ならば、このモードはランプ燃焼容器内において広がる流動セルの形成をもたらし、これらの流動セルが封入物成分の分離を阻止するからである。
【００２９】
色分離の抑制もしくは色混合のための第２縦方向音響モードの励起について説明する。
【００３０】
ランプ内における目的に合わせた２Ｌモードの励起は、電気点灯装置によって行なわなければならない。
【００３１】
色混合の場合と同様に、アーク直線化の場合にも電気点灯装置によって放電アークにおいて目的に合わせて次の如き特有の音響固有共振が励起される（２Ａ励起）。即ち、その特有の音響固有共振は、同様にそれのモードの特性によって、一般的に通例のアーク不安定を招かずに、むしろ必然的に軸方向における高められたアーク安定性を伴う。
【００３２】
このために適用可能な固有共振は、たいてい方位モードパターンを有する固有共振である。
【００３３】
アークを直線化する目的のための第２方位音響モードの励起について説明する。
【００３４】
この励起は、直接的な高周波点灯（いわゆる直接駆動）、低周波の矩形波電圧に対する振幅変調、又はこれらの点灯様式の混合によって行なわれる。本発明によれば、特有の方位共振周波数が同時に特有の縦方向共振周波数と一緒に励起され、その高周波点灯がガス放電ランプの点灯のための低周波矩形電圧に組み合わされる。その励起は、２つの異なるタイムスライスにおける２つの異なる周波数による１つの直接駆動、又は２つの異なるタイムスライスおよび２つの異なる周波数での２つの異なる直接駆動と低周波の矩形波点灯との組合せによって、又は一方の周波数による１つの直接駆動と他方の高い周波数で振幅変調される低周波矩形波点灯との組合せによって行なわれる。この方法を実施するための回路装置は国際特許第２００８／０８３８５２号パンフレットから公知であり、これの開示内容は関連付けによってここでの説明に含まれるものとする。
【００３５】
本発明による点灯方法の有利な発展形態および実施形態を、従属請求項および以下の説明により明らかにする。
【図面の簡単な説明】
【００３６】
以下における実施例の説明と図面とに基づいて、本発明の利点、特徴および詳細を明らかにする。
【００３７】
【図１】図１は、従来技術に基づいた公知の矩形波状のランプ点灯電圧の波形図を示す。
【図２ａ】図２ａは、低周波矩形波点灯と組み合わせた直接駆動を用いた方位モードの励起によるアーク直線化を用いた従来技術に基づいた公知のランプ点灯電圧の波形図を示す。
【図２ｂ】図２ｂは、図２ａの方位モードの励起のためのランプ電圧の直接駆動の波形図の部分詳細図を示す。
【図３ａ】図３ａは、方位モードおよび縦方向モードを励起すべく低周波矩形波点灯と組み合わせた二重のシーケンシャルな直接駆動によりアーク直線化を行なう本発明による方法の第１実施形態のランプ点灯電圧の波形図を示す。
【図３ｂ】図３ｂは、図３ａの方位モードを励起するためのランプ電圧の第１の高周波直接駆動の波形図の部分詳細図を示す。
【図３ｃ】図３ｃは、図３ａの縦方向モードを励起するためのランプ電圧の第２の高周波直接駆動の波形図の部分詳細図示す。
【図４ａ】図４ａは、方位モードを励起するためのシーケンシャルな直接駆動と縦方向モードを励起するために低周波電圧に対して変調を施す高周波電圧とによりアーク直線化を行なう本発明による方法の第２の実施形態のランプ点灯電圧の波形図を示す。
【図４ｂ】図４ｂは、図４ａの方位モードを励起するためのランプ電圧の直接駆動の波形図の部分詳細図を示す。
【図４ｃ】図４ｃは、図４ａの縦方向モードを励起するためのランプ電圧のランプ電圧の振幅変調周波数の波形図の部分詳細図を示す。
【図５ａ】図５ａは、方位モードを励起するためのシーケンシャルな直接駆動と縦方向モードを励起するために低周波電圧およびその直接駆動の電圧に対して変調を施す高周波電圧とによりアーク直線化を行なう本発明による方法の第３の実施形態のランプ点灯電圧の波形図を示す。
【図５ｂ】図５ｂは、図５ａの方位モードおよび縦方向モードを励起するためのランプ電圧の振幅変調された直接駆動の波形図の部分詳細図を示す。
【図５ｃ】図５ｃは、図５ａの縦方向モードを励起するためのランプ電圧の振幅変調周波数の波形図の部分詳細図を示す。
【図６ａ】図６ａは、縦方向モードおよび方位方向モードを励起するための低周波電圧に対してシーケンシャルに変調を施す高周波電圧によりアーク直線化を行なう本発明による方法の第４の実施形態のランプ点灯電圧の波形図を示す。
【図６ｂ】図６ｂは、図６ａの方位モードおよび縦方向モードを励起するためのランプ電圧の２つのシーケンシャルな振幅変調周波数の波形図の部分詳細図を示す。
【発明を実施するための形態】
【００３８】
アーク直線化に対して能動的な方位固有周波数の位置は、一方でランプジオメトリ（長さ、アスペクト比）に依存するが、しかし圧力、温度、封入ガス、封入物成分、電力等のランプの一般的な点灯パラメータにも依存する。今ここで考慮しているランプの場合、方位固有モードは２０ｋＨｚと１５０ｋＨｚとの間の範囲、典型的には約８０ｋＨｚにある。
【００３９】
有効な縦方向固有周波数は、同様にランプジオメトリ（長さ、アスペクト比）に依存し、圧力、温度、封入ガス、封入物成分、電力等のランプの一般的な点灯パラメータにも依存する。今ここで考慮しているランプの場合、縦方向固有モードは２０ｋＨｚ〜６０ｋＨｚの範囲内、典型的には約２６ｋＨｚにある。
【００４０】
例えば電子点灯装置により直接駆動にて目的に合わせて方位モードをランプ内に６０ｋＨｚで励起させたい場合に、電子点灯装置はランプを正確に点灯交流周波数の半分の３０ｋＨｚで正弦波動作しなければならない。８０ｋＨｚでランプ内に方位モードを励起したい場合には、電子点灯装置はランプを正確に点灯交流周波数の半分の４０ｋＨｚで正弦波動作しなければならない。
【００４１】
この供給電圧もしくはこの供給電流の振幅スペクトルは３０ｋＨｚから４０ｋＨｚにおいて単一の周波数成分を有し、関連する電力スペクトル、即ち電流と電圧との積のスペクトルは正確に２倍の周波数、即ち６０ｋＨｚから８０ｋＨにおいてランプ内に相応の音響モードを励起させる単一の周波数ラインを有する。
【００４２】
一般に電力スペクトルは８０ｋＨｚにおける周波数ラインに加えて更にｆ＝０Ｈｚでの成分も有し、この成分はランプ内の平均変換電力に相当する。
【００４３】
直接駆動の利点は、直接駆動がハーフブリッジの単純な回路装置で実現でき、電子安定器を比較的少ない電子的費用で構成できることにある。
【００４４】
直接駆動の欠点は、所望の音響固有モードの励起強度を制御することが比較的困難であることにある。何故ならば直接駆動の場合に変調度が常に１００％であり、２つの自由度が、即ち、掃引範囲（つまり周期的に通過する周波数範囲）の大きさ又は掃引繰返し周波数が、限定的にしか変化できないからである。
【００４５】
掃引範囲の大きさを任意に広げることはできない。何故ならばたいてい、アーク直線化能力のある目標とする共振の直近には、できるだけ遭遇してはならない他の音響固有周波数が存在するからであり、当該音響固有周波数にできるだけ遭遇してはならないとする理由は、当該音響固有周波数が励起時にアーク安定性に対して否定的な作用により不都合を生じさせるからである。
【００４６】
掃引繰返し速度もしくは掃引繰返し周波数は一般に任意に低減できない。何故ならば、不可避の電力変動が掃引過程中に調節技術的に高い費用でしか正確に補償できず、この電力変動がちょうど５０Ｈｚを下回る周波数において光の揺らぎとして現れるからである。
【００４７】
これに対して、点灯装置による放電アークの特有の音響固有周波数を目的に合わせて適量に励起させるための代替方法は矩形波点灯により行なうことができる。
【００４８】
矩形波ＡＭ変調について説明する。
【００４９】
低周波の矩形波点灯においては、特有のランプ固有周波数を電気的に励起させるために、相応の周波数成分を矩形波形のランプ電源に対して振幅変調として加算的に重ねなければならない。
【００５０】
この変調方法の場合には、変調周波数成分が大きさ的にランプにおける目標とする実際の固有周波数の値と一致し、変調周波数成分が矩形波信号の電力スペクトルにおいて直接に現れる。
【００５１】
この場合には、直接駆動におけるような周波数倍増が行なわれない。
【００５２】
例えばランプにおける目標とする実際の固有周波数が２６ｋＨｚであるならば、変調周波数成分も同様に２６ｋＨｚでなければならない。
【００５３】
上に被せる振幅変調の利点は、目標としてめざす音響固有共振の励起率が明確に変調の深さもしくは変調度により調整され、これ自体が個々のランプへの適合を可能にする。
【００５４】
しかし、矩形波点灯での振幅変調の欠点は、一般に、電子安定器における技術的に費用のかかる実現性にあり、そのために矩形波点灯での振幅変調はこれまで一般に滅多に使用されなかった。振幅変調の変調度は有効変調に関して５％と３０％との間にあり、典型的には１０％にある。
【００５５】
以下において、水銀フリーの分子放射を基調とする高圧放電ランプ（ＨＩＤランプ）を点灯するための本発明による方法を説明する。本発明による方法は、アーク直線化にねらいを定めた音響励起も、色分離の抑制にねらいを定めた音響励起も必要とする。
【００５６】
ここでは、このランプ型式の音響特性のために、両周波数を供給する際に励起強度にねらいを定めて、励起強度を互いに独立に低減レベルに調整することが必要である。
【００５７】
これを実現するために、本発明による次の点灯方法を提案する。
【００５８】
図３ａは本発明による方法の第１の実施形態のランプ点灯電圧の波形図を示し、この実施形態は方位モードおよび縦方向モードを励起すべく１つの中立的矩形波信号と組み合わせた二重のシーケンシャルな直接駆動によりアーク直線化を行なう。この点灯方法は中立的矩形波信号と組み合わせた二重のシーケンシャルな直接駆動であり、この直接駆動では２つの異なるタイムスライスにおいてそれぞれ２つの異なる点灯周波数が印加され、それらの点灯周波数により、調整可能な強さを有する２つの異なる音響固有共振が励起可能であり、ランプの基本点灯は図１に示した矩形モードにより行なわれる。
【００５９】
アーク直線化のための第２方位固有共振の励起は、図３ｂに示すように、４０ｋＨｚの直接駆動モードでのランプの短時間点灯によりシーケンシャルに行なわれ、矩形波モードおよび直接駆動モードの時間的なデューティ比の調整により音響固有共振のための絶対的な励起強度を確定することができる。
【００６０】
矩形波点灯の周期が例えば１０ｍｓｅｃである場合には、１ｍｓｅｃの直接駆動タイムスライスにより１０％の変調深さを実現することができる。
【００６１】
図３ｃに示すような色混合の目的のための第２縦方向固有共振（２Ｌ共振）の励起は１３ｋＨｚの直接駆動モードでのランプの短時間点灯によりシーケンシャルに行なわれ、矩形波モードおよび直接駆動モードの時間的なデューティ比の調整により音響固有共振のための絶対的な励起強度を確定することができる。
【００６２】
矩形波点灯の周期が例えば１０ｍｓｅｃである場合に、１．２ｍｓの直接駆動タイムスライスにより１２％の変調深さを実現することができる。
【００６３】
図４ａは本発明による方法の第２の実施形態のランプ点灯電圧の波形図を示し、この実施形態は方位モードを励起するためのシーケンシャルな直接駆動と、縦方向モードを励起すべく低周波電圧に対して変調を施す高周波電圧とによりアーク直線化を行なう。
【００６４】
アーク直線化の目的のための第２方位固有共振の励起は、図４ｂに示すように、４０ｋＨｚの直接駆動モードでのランプの短時間点灯によりシーケンシャルに行なわれ、矩形波モードおよび直接駆動モードの時間的なデューティ比を調整することにより音響固有共振のための絶対的な励起強度を確定することができる。
【００６５】
矩形波点灯の周期が例えば１０ｍｓｅｃである場合には、１ｍｓｅｃの直接駆動タイムスライスにより１０％の変調深さを実現することができる。
【００６６】
図４ｃに示すような色混合のための第２縦方向固有共振（２Ｌ共振）の励起は、矩形波の振幅に対して振幅変調を施すことにより行なわれる。ＡＭ変調周波数は２６ｋＨｚである。調整可能なＡＭ変調深さは２Ｌ色混合共振のための励起強度を決定する。
【００６７】
振幅変調は、任意選択的に、全期間を通じて作動することができ、純粋な矩形波モードフェーズとダイレクトドライブフェーズの期間中に（第３の実施形態に関する記載を実施参照）、または唯一の純粋な矩形波フェーズの間に作動するとよい。そして、振幅変調は、短期間ダイレクトフェーズの期間中、遮断するとよい。図４ｂは、直接駆動が活性化しているタイムスライスの期間中のランプ電圧の波形図を示す。図４ｃは、変調された低周波電圧によりランプが点灯されるタイムスライスの期間中のランプ電圧の波形図を示す。この実施形態の場合の利点は、励起スペクトルにおいて直接駆動位相の期間中に振幅変調が遮断される結果、直接駆動ライン自体の周りに、ランプ内に無制御で望ましくない音響共振の励起をもたらし得る側帯波が生じないことにある。
【００６８】
図５は、本発明による点灯方法の第３の実施形態を示す。図５ａは本発明による方法の第３の実施形態の波形図を示し、この実施形態は、方位モードを励起するためのシーケンシャルな直接駆動と、縦方向モードを励起すべく低周波電圧およびその直接駆動の電圧に対して変調を施す高周波電圧とによりアーク直線化を行なう。これは上述の第２の実施形態での方法の変形である。ここでは色混合のための振幅変調が低周波矩形波に対してだけでなく、アーク直線化のための高周波正弦波電圧に対しても施される。図５ｂは直接駆動において変調された正弦波電圧を示し、この電圧は２６ｋＨｚを有する振幅変調により変調されている。図５ｃは、同様に２６ｋＨｚを有する振幅変調により変調されている矩形波電圧の部分詳細図を示す。
【００６９】
図６ａは、本発明による方法の第４の実施形態のランプ点灯電圧の波形図を示し、この実施形態は、縦方向モードおよび方位モードを励起すべく低周波電圧に対して変調を施す高周波電圧によりアーク直線化を行なう。この点灯方法は、矩形波モード内での二重のシーケンシャルなＡＭ点灯であり、この点灯の場合には、２つの異なるタイムスライスにおいて振幅変調がそれぞれ２つの異なる周波数で作動させられる。めざす両音響固有共振の励起強度は、それに付属の適切なＡＭ深さにより調整することができる。
【００７０】
図６ｂは、図６ａの方位モードおよび縦方向モードを励起するためのランプ電圧の部分詳細図を示す。この部分詳細図は、両モード間の切替が見えるように選ばれている。
【図１】
0005450893.tif 000002
【図２ａ】
0005450893.tif 000003
【図２ｂ】
0005450893.tif 000004
【図３ａ】
0005450893.tif 000005
【図３ｂ】
0005450893.tif 000006
【図３ｃ】
0005450893.tif 000007
【図４ａ】
0005450893.tif 000008
【図４ｂ】
0005450893.tif 000009
【図４ｃ】
0005450893.tif 000010
【図５ａ】
0005450893.tif 000011
【図５ｂ】
0005450893.tif 000012
【図５ｃ】
0005450893.tif 000013
【図６ａ】
0005450893.tif 000014
【図６ｂ】
0005450893.tif 000015